(57)【要約】【課題】  巻尺における測定テープの目盛り表示を、ケースにおける測定者が最も見易いケース後方より読み取れるようにして、巻尺を穴等の陥凹の深さ（深度）測定に用いた際、測定者が安全かつ正確に測定作業を行うことができる巻尺を提供する。【解決手段】  測定テープ８の先端に設けたフック９の前面９ａからケース２の前部２ａおける前端２ｃまでの距離を示す目盛りを測定テープ８の引き出し長さに対応するよう測定テープ８の裏面８ａに表示し、かつ前記距離を示す位置の目盛りを、ケース２の後部２ｅに配設する第一の窓３を通してより読み取ることができるように構成した。【選択図】  図２
2008107195.tif 000002
【特許請求の範囲】
【請求項１】
ケース内に、測定テープを周囲に巻き回し、同測定テープを巻き取り方向に付勢する付勢手段を内装する回転ドラムが回転自在に支持され、測定テープの出入口をケースの前部に備える巻尺であって、前記測定テープ先端に設けたフックの前面から前記ケースの前端までの距離を示す目盛りを、測定テープの引き出し長さに対応するよう測定テープ裏面に表示し、かつ前記距離を示す位置の目盛りを、ケースの後部に形成する開口を通して視認できるように構成してなる巻尺。
【請求項２】
前記距離に、前記ケースの前端から後端までの距離を加えた第二の距離を示す位置の目盛りを、ケースの上部に形成する開口を通して視認できるように構成してなる請求項１に記載の巻尺。
【請求項３】
ケース内に、測定テープを周囲に巻き回し、同測定テープを巻き取り方向に付勢する付勢手段を内装する回転ドラムが回転自在に支持され、測定テープの出入口をケースの前部に備える巻尺であって、前記測定テープ先端に設けたフックの前面から前記ケースの前端までの第一の距離を示す第一の目盛りと、前記フックの前面から前記ケースの後端までの第二の距離を示す第二の目盛りを、測定テープの引き出し長さに対応するようともに測定テープ裏面に表示し、かつ前記第一の距離を示す位置の目盛りを、ケースの後部に形成した開口を通して視認でき、また前記第二の距離を示す位置の目盛りを、ケースの上部に形成した開口を通して視認できるように構成してなる巻尺。
【請求項４】
前記第一、第二の目盛りの色を、互いに異なる色で表示してなる請求項３に記載の巻尺。
【請求項５】
前記開口に透光性を有する閉止部材で塞ぎ、この閉止部材に目盛りの読み取り位置を示す目印を設けてなる請求項１または請求項３に記載の巻尺。
【請求項６】
前記ケースの前端位置を、ケース前部の測定テープ出入口の上、下部分に設定してなる請求項１または請求項３に記載の巻尺。
【請求項７】
前記ケースの後端位置を、ケース後部におけるケース底部に隣接する下方部分となるように設定してなる請求項２または請求項３に記載の巻尺。
【発明の詳細な説明】
【技術分野】
【０００１】
本発明は、測定テープ自動巻取り式の巻尺に関し、より詳しくは、巻尺を穴等の陥凹の深さ（深度）測定に用いた場合、測定テープの目盛り表示が、ケースにおける測定者が最も見易い位置に表示される巻尺に関する。
【背景技術】
【０００２】
従来、巻尺における測定長さを表示する測定テープの目盛りは測定テープの上面側すなわち測定テープ表面に表示していて、長さを測定する際は、巻尺のケース前部下方のテープ出入口から引き出した測定テープを被測定物の上に沿わせ、測定テープ表面に表示する目盛りを読み取って長さを測定している。
そして、この測定テープ表面に表示する目盛りを用いて行う長さ測定が、巻尺の通常の使用形態である。
【０００３】
また、上述する測定テープの裏面にも測定長さを表示する目盛りを設け、かつこの目盛りにおける測定テープ進退方向のケース前端から後端までの距離を加えた位置の目盛り表示をケースの上方より読み取ることができるようにして、凹状部の対側壁間（内測）の測定にも対応させた巻尺もある。
【０００４】
しかしながら、穴等の陥凹の深さ（深度）測定に対応する巻尺は現在のところ市場に供されておらず、この穴等の深さを測定する場合は、巻尺のケース前部下方のテープ出入口から引き出した測定テープを被測定穴に挿入し、測定テープ表面に表示する目盛りを読み取って長さを測定している。
【０００５】
そして、穴が床面等の低い位置に開口している場合は、測定者は、先端を穴の中に挿入した測定テープの、穴の開口縁に位置する目盛りを正確に読まなければならないため、測定者はしゃがんだり膝を付いたりして低い姿勢をとるとともに、不自然な体勢で頭部を床面に近づけなければならない。
【０００６】
しかしながら、被測定穴の周囲に例えば配管などの設備があるような場所では、測定者が上述する頭部を床面に近づける姿勢をとることにより、その部材に測定者の頭部が衝突したりまた目を突いたりという事故が発生する恐れがあり、非常に危険を伴う測定姿勢であるとともに、この不自然、不安定な姿勢により測定者の身体への負担が大であるという問題もある。
【０００７】
【特許文献１】特開昭６１−１８８０１号公報（第１〜５頁、第１〜５図）
【発明の開示】
【発明が解決しようとする課題】
【０００８】
本発明は、巻尺における測定テープの目盛り表示を、ケースにおける測定者が最も見易いケースの後方から読み取ることができるようにして、巻尺を穴等の陥凹の深さ（深度）測定の際、測定者が安全かつ正確に、しかも体に負担を掛けることのない自然な体勢で測定作業を行うことができる巻尺を提供できるようにした。
【０００９】
また、凹状底部の対側壁間（内測）測定に対応させた巻尺に対しても、上述のように穴等の深さ（深度）測定に対応できるようにして、巻尺の測定に対する取扱の容易性を向上させるようにした。
【課題を解決するための手段】
【００１０】
上述した課題を解決するために、本発明に係る巻尺は、ケース内に、測定テープを周囲に巻き回し、同測定テープを巻き取り方向に付勢する付勢手段を内装する回転ドラムが回転自在に支持され、測定テープの出入口をケースの前部に備える巻尺であって、前記測定テープ先端に設けたフックの前面から前記ケースの前端までの距離を示す目盛りを、測定テープの引き出し長さに対応するよう測定テープ裏面に表示し、かつ前記距離を示す位置の目盛りを、ケースの後部に形成する開口を通して視認できるように構成したものとしてある。
【００１１】
さらに前記距離に、前記ケースの前端から後端までの距離を加えた第二の距離を示す位置の目盛りを、ケースの上部に形成する開口を通して視認できるように構成したものとしてある。
【００１２】
また、ケース内に、測定テープを周囲に巻き回し、同測定テープを巻き取り方向に付勢する付勢手段を内装する回転ドラムが回転自在に支持され、測定テープの出入口をケースの前部に備える巻尺であって、前記測定テープ先端に設けたフックの前面から前記ケースの前端までの第一の距離を示す第一の目盛りと、前記フックの前面から前記ケースの後端までの第二の距離を示す第二の目盛りを、測定テープの引き出し長さに対応するようともに測定テープ裏面に表示し、かつ前記第一の距離を示す位置の目盛りを、ケースの後部に形成した開口を通して視認でき、また前記第二の距離を示す位置の目盛りを、ケースの上部に形成した開口を通して視認できるように構成したものとしてある。
【００１３】
また前記第一、第二の目盛りの色を、互いに異なる色で表示したものとしてある。
【００１４】
さらに、前記開口に透光性を有する閉止部材で塞ぎ、この閉止部材に目盛りの読み取り位置を示す目印を設けた構成のものとしてある。
【００１５】
また前記ケースの前端位置を、ケース前部の測定テープ出入口の上、下部分となるように設定し、前記ケースの後端位置を、ケース後部のケース底部に隣接する下方部分となるように設定したものとしてある。
【発明の効果】
【００１６】
本発明の巻尺によれば、穴の深さを測定する場合は、巻尺のケース前部下方の測定テープ出入口を穴底方向に向け、この測定テープ出入口から引き出した測定テープを被測定穴に挿入して測定テープ先端のフック前面を穴底に当接させるとともに、ケース前部の前端を穴の開口外縁に当接し、そしてケース後部の開口内に見える測定テープ裏面の読み取り位置を示す目印に合う目盛りを読むことによって穴の深さの測定ができる。
【００１７】
したがって、本巻尺は穴の深さを示す測定テープ目盛りをケース後方より読み取ることができるので、被測定穴が床面等の低い位置にある場合でも、測定者は低い姿勢をとり、目を下方に向けるだけでケース後部の開口内に見える目盛りを容易かつ正確に読み取ることができる。
【００１８】
また測定作業において、従来のように、測定者が低い姿勢をとった後にさらに姿勢を崩して頭部を床面に近づけることがないので頭部の衝突等の事故が生じるおそれはまずなく、測定作業における測定者の安全を確保でき、また、身体への負担を軽減することができる。
【００１９】
そして、上述の穴の深さを示す測定テープ目盛りをケース後方より読み取れるようにした構造を、凹状部の対側壁間（内測）測定に対応させた巻尺に対して付加することで、巻尺の測定に対する取扱容易性を向上させることができる。
【発明を実施するための最良の形態】
【００２０】
以下、本発明の巻尺を添付図面に基づいて説明する。
巻尺１は、図１に示されるように、ケース２の後部２ｄと上部２ｆのそれぞれに、透光性を有する閉止部材にそれぞれ目印３ａと目印４ａとを設けて塞いだ第一の窓３と第二の窓４を備え、これら第一の窓３、第二の窓４から、図２に示すように、ケース２内の軸５に支持された回転ドラムに巻回する測定テープ８の裏面８ａに表示している図４に示す共通目盛り１０ａを視認できるようにしている。
【００２１】
また巻尺１は、ケース２の前部２ｂ、後部２ｄ、上部２ｆ、底部２ｇの測定テープ８の進退方向における左右辺部を同じ長さにしてあって、正四角柱に構成してある。
【００２２】
そして、共通目盛り１０ａにおける第一の窓３の目印３ａが示す位置は、図２示すように、測定テープ８の先端に設けているフック９の前面９ａからケース２の前部２ｂにおける前端２ｃまでの距離（図２中の記号Ａ）としている。
【００２３】
また第二の窓４の目印４ａが示す位置は、図２示すように、測定テープ８の先端に設けているフック９の前面９ａからケース２の後部２ｄまでの距離（図２中の記号Ｂ）としている。
【００２４】
さらに、測定テープ８の裏面８ａに表示す目盛りは、図５に示すように、深度（第一の距離）用目盛り１０ｂと内測（第二の距離）用目盛り１０ｃをそれぞれ表示する場合もある。
この場合は、図６に示すように、ケース２の後部２ｄに設ける第一の窓３とケース２の上部２ｆに設ける第二の窓４の位置を、測定テープ８の裏面８ａに表示する深度用目盛り１０ｂと内測用目盛り１０ｃの表示位置にそれぞれ対応させて設ける場合もある。またこれら深度用目盛り１０ｂと内測用目盛り１０ｃの表示色を変えて測定テープ８の裏面８ａに表示する場合もある。
【００２５】
そして、図７に示すように、ケース２の前部２ｂにおけるテープ出入口２ａの上部、下部と、後部２ｄの底部２ｇと隣接する下方部を測定テープ８の進退方向における外方に突出させそれぞれケース２の前端２ｃ、後端２ｅとして、測定の際に前端２ｃ、後端２ｅが安定よく被測定物へ当接できるようにする場合もある。
【００２６】
またケース２の前部２ｂ、後部２ｄの突出長さにより、第一の窓３、第二の窓４の目印３ａ、４ａのそれぞれの窓内における位置が統一性に欠けたものとなる場合は、図８に示すように、測定テープ８の裏面８ａに表示する目盛りにおける深度用目盛り１０ｂと内測用目盛り１０ｃの０基点位置をずらして表示する場合もある。
【００２７】
そして、巻尺１を用いて行う穴の深さの測定方法は、図９に示すように、巻尺１のケース２における前部２ｄのテープ出入口２ａを穴１２の穴底１２ａ方向に向け、テープ出入口２ａから引き出した測定テープ８を穴１２内に挿入してフック９の前面９ａを穴底１２ａに当接させ、またケース２の前部２ｄにおける前端２ｃを穴１２の開口外縁１２ｂ部に当接させる。
【００２８】
次に、図９中の矢印方向より、ケース２における後部２ｄの第一の窓３の目印３ａが指し示す測定テープ８の裏面８ａの目盛りを読むことにより、穴１２の深さの測定ができる。
【００２９】
図９中（ａ）は、穴１２の径が、巻尺１のケース２における前部２ｄの上下幅より小の場合を示していて、この場合は、ケース２の前端２ｃとなる前部２ｄを穴１２の縁に掛け渡し、また穴１２のり開口外縁１２ｂ部に当接させてケース２を安定させた例である。
【００３０】
そして、図９中（ｂ）は、穴１２の径が、巻尺１のケース２における前部２ｄの上下幅より大の場合を示していて、この場合は、ケース２の前端２ｃとなるテープ出入口２ａの上方２部分の前部２ｂを穴１２の開口外縁１２ｂ部に載せてケース２を安定させた例である。
【００３１】
また、巻尺１を用いて行う溝１３の左右側壁１３ｂ間における内測の測定方法は、図１０に示すように、溝１３内の側壁１３ｂ間に、巻尺１のケース２におけるテープ出入口２ａから引き出した測定テープ８のフック９の前面９ａを溝１３内の一方の側壁１３ｂに当接させ、またケース２の後部２ｄにおける後端２ｅを溝１３内の他方の側壁１３ｂに当接させる。
【００３２】
次に、図１０中の矢印方向より、ケース２における上部２ｆの第二の窓４の目印４ａが指し示す測定テープ８の裏面８ａの目盛りを読むことにより、溝１３の左右側壁１３ｂ間の距離すなわち内測の測定ができる。
【００３３】
図１中の符号１０は、測定テープ８の表面に表示する通常目盛り、図２中の符号７は、回転ドラム６を測定テープ８の巻き取り方向に付勢するための巻き取りばね、図２中の符号１１は、測定テープ８を第一の窓３、第二の窓４に平行かつ近接して通過させるためのガイドローラである。
【００３４】
また、本実施例に示す巻尺１、１ａは、測定テープ８をケース２より引き出した際、任意の引き出し位置で停止させるためのテープブレーキと、巻き取りばね７の付勢力によって測定テープ８が巻き取られた際、測定テープ８がケース２のテープ出入口２ａに衝突する際の衝撃を緩和する衝撃吸収ダンパーを備えているが、図示は省略した。
【図面の簡単な説明】
【００３５】
【図１】本発明に係る巻尺の測定テープを引き出した状態の斜視図。
【図２】測定テープを引き出した状態の半ケースを取り外して内部構造を示した巻尺の側面図。
【図３】測定テープを引き出した状態の巻尺の側面図。
【図４】測定テープを引き出した状態の巻尺の底面図。
【図５】測定テープを引き出した状態の巻尺の斜視図。
【図６】窓を目盛りの表示位置に対応して配置した測定テープを引き出した状態の巻尺の側面図。
【図７】ケース外観形状の一例を示す巻尺の側面図。
【図８】測定テープを引き出した状態の巻尺の底面図。
【図９】穴の深さを測定する際の使用状態を巻尺の側面方から示す断面図。
【図１０】溝の内測を測定する際の使用状態を巻尺の側面方から示す断面図。
【符号の説明】
【００３６】
１  巻尺
１ａ  巻尺
２  ケース
２ａ  テープ出入口
２ｂ  前部
２ｃ  前端
２ｄ  後部
２ｅ  後端
２ｆ  上部
２ｇ  底部
３  第一の窓
３ａ  目印
４  第二の窓
４ａ  目印
５  軸
６  回転ドラム
７  巻き取りばね
８  測定テープ
８ａ  裏面
９  フック
９ａ  前面
１０  通常目盛り
１０ａ  共通目盛り
１０ｂ  深度用目盛り
１０ｃ  内測用目盛り
１１  ガイドローラ
１２  穴
１２ａ  穴底
１２ｂ  開口外縁
１３  溝
１３ａ  溝底
１３ｂ  側壁
【図１】
2008107195.tif 000003
【図２】
2008107195.tif 000004
【図３】
2008107195.tif 000005
【図４】
2008107195.tif 000006
【図５】
2008107195.tif 000007
【図６】
2008107195.tif 000008
【図７】
2008107195.tif 000009
【図８】
2008107195.tif 000010
【図９】
2008107195.tif 000011
【図１０】
2008107195.tif 000012